(57)【特許請求の範囲】
【請求項１】
投影画像を制御する投影システムであって、
画像を記憶する画像データベースから、取引のために隣り合う二列にわたって陳列されている同一の商品に対応する複数の前記画像を抽出する抽出部と、
前記抽出部により抽出された複数の画像を複数のプロジェクタに送信することで、該複数のプロジェクタに、前記隣り合う二列にわたって陳列された同一の商品の表面に該画像を投影させる送信部と
を備え、
前記送信部が、前記隣り合う二列のそれぞれの前記投影画像が異なるように前記複数の画像を設定して前記複数の画像を前記複数のプロジェクタに送信することで、前記同一の商品に投影される前記画像を前記列ごとに異ならせる、
投影システム。
【請求項２】
前記陳列されている前記商品に付されたバーコードを読み取ったバーコードリーダからバーコードデータを受信するバーコード受信部をさらに備え、
前記抽出部が、前記バーコードデータから抽出された商品ＩＤに対応する前記画像を抽出する、
請求項１に記載の投影システム。
【請求項３】
前記陳列されている前記商品の前に来た人を撮影したカメラから撮影画像を受信する画像受信部をさらに備え、
前記抽出部が、前記撮影画像に対する画像認識を実行することで前記人の属性を判定し、前記陳列されている前記商品および該属性に対応する前記画像を抽出する、
請求項１または２に記載の投影システム。
【請求項４】
前記抽出部が、前記陳列されている前記商品および現在時刻に対応する前記画像を抽出する、
請求項１〜３のいずれか一項に記載の投影システム。
【請求項５】
前記商品が棚に陳列され、
前記複数のプロジェクタが前記棚の棚板の下面に取り付けられた、
請求項１〜４のいずれか一項に記載の投影システム。
【請求項６】
投影画像を制御するプロセッサを備える投影システムにより実行される投影方法であって、
画像を記憶する画像データベースから、取引のために隣り合う二列にわたって陳列されている同一の商品に対応する複数の前記画像を抽出する抽出ステップと、
前記抽出ステップにおいて抽出された複数の画像を複数のプロジェクタに送信することで、該複数のプロジェクタに、前記隣り合う二列にわたって陳列された同一の商品の表面に該画像を投影させる送信ステップと
を含み、
前記送信ステップでは、前記隣り合う二列のそれぞれの前記投影画像が異なるように前記複数の画像を設定して前記複数の画像を前記複数のプロジェクタに送信することで、前記同一の商品に投影される前記画像を前記列ごとに異ならせる、
投影方法。
【請求項７】
投影画像を制御する投影システムとしてコンピュータを機能させる投影プログラムであって、
画像を記憶する画像データベースから、取引のために隣り合う二列にわたって陳列されている同一の商品に対応する複数の前記画像を抽出する抽出ステップと、
前記抽出ステップにおいて抽出された複数の画像を複数のプロジェクタに送信することで、該複数のプロジェクタに、前記隣り合う二列にわたって陳列された同一の商品の表面に該画像を投影させる送信ステップと
を前記コンピュータに実行させ、
前記送信ステップでは、前記隣り合う二列のそれぞれの前記投影画像が異なるように前記複数の画像を設定して前記複数の画像を前記複数のプロジェクタに送信することで、前記同一の商品に投影される前記画像を前記列ごとに異ならせる、
投影プログラム。
【発明の詳細な説明】
【技術分野】
【０００１】
本発明の一側面は、投影システム、投影方法、および投影プログラムに関する。
【背景技術】
【０００２】
商品を客にアピールするための様々な手法が従来から存在する。例えば特許文献１には、車両に商品の広告コンテンツを表示するシステムが記載されている。このシステムは、車両に設置されたプロジェクタが画像を該車両の側面に表示するというものである。
【先行技術文献】
【特許文献】
【０００３】
【特許文献１】特開２０１５−５１１７２９号公報
【発明の概要】
【発明が解決しようとする課題】
【０００４】
人によっては、広告を通じて商品に興味を持ったとしても、実際の商品に接したときにその商品の外観を見てその興味が失せる場合がある。例えば、人目を引くためのデザインを施したパッケージが、ある人の興味や嗜好に合わないことがある。あるいは、商品の特徴を分かりやすく伝えるためのデザインが特定の人に恥ずかしさを覚えさせてしまうようなこともあり得る。そこで、場面に応じて商品の見た目を変えることが望まれている。
【課題を解決するための手段】
【０００５】
本発明の一側面に係る投影システムは、投影画像を制御する投影システムであって、画像を記憶する画像データベースから、取引のために陳列されている商品に対応する画像を抽出する抽出部と、抽出部により抽出された画像をプロジェクタに送信することで、該プロジェクタに、陳列された商品の表面に該画像を投影させる送信部とを備える。
【０００６】
本発明の一側面に係る投影方法は、投影画像を制御するプロセッサを備える投影システムにより実行される投影方法であって、画像を記憶する画像データベースから、取引のために陳列されている商品に対応する画像を抽出する抽出ステップと、抽出ステップにおいて抽出された画像をプロジェクタに送信することで、該プロジェクタに、陳列された商品の表面に該画像を投影させる送信ステップとを含む。
【０００７】
本発明の一側面に係る投影プログラムは、投影画像を制御する投影システムとしてコンピュータを機能させる投影プログラムであって、画像を記憶する画像データベースから、取引のために陳列されている商品に対応する画像を抽出する抽出ステップと、抽出ステップにおいて抽出された画像をプロジェクタに送信することで、該プロジェクタに、陳列された商品の表面に該画像を投影させる送信ステップとをコンピュータに実行させる。
【０００８】
このような側面においては、商品が陳列されているときには該商品に対応する画像が該商品の表面に表示されるが、人がその商品を手に取ると、その画像はもはやその商品には映らなくなる。この仕組みにより、商品が陳列されているときと、客が実際に商品を手に取ったときとで商品の見た目を変えることができる。すなわち、場面に応じて商品の見た目を変えることができる。
【発明の効果】
【０００９】
本発明の一側面によれば、場面に応じて商品の見た目を変えることができる。
【図面の簡単な説明】
【００１０】
【図１】実施形態に係る投影システムの適用の一例を示す図である。
【図２】実施形態に係る投影システムの機能構成を示す図である。
【図３】機器情報の例を示す図である。
【図４】画像情報の例を示す図である。
【図５】サーバのハードウェア構成を示す図である。
【図６】実施形態に係る投影システムの動作を示すフローチャートである。
【図７】実施形態に係る投影プログラムの構成を示す図である。
【図８】商品に画像を投影する例を示す図である。
【発明を実施するための形態】
【００１１】
以下、添付図面を参照しながら本発明の実施形態を詳細に説明する。なお、図面の説明において同一または同等の要素には同一の符号を付し、重複する説明を省略する。
【００１２】
図１〜図５を参照しながら、実施形態に係る投影システム１の機能および構成を説明する。投影システム１は、陳列された商品の表面に画像を投影するコンピュータシステムである。「商品」とは、有償または無償で取引可能な任意の有体物であり、その種類は何ら限定されない。「陳列された商品」とは、取引のために所定の場所に置かれた商品である。例えば、「陳列された商品」とは、実店舗の陳列棚または陳列台に置かれた商品である。「商品の表面」とは、陳列されている商品の外表面であり、例えば、箱または容器の外面である。「画像」とは、有体物の面に映し出された、人が視認できる像である。画像は静止画であっても動画であってもよい。また、画像は撮影により得られてもよいしコンピュータ・グラフィックスであってもよい。
【００１３】
図１は、投影システム１の適用の一例を示し、具体的には、棚に置かれた商品（飲料缶）８０に画像９０を投影する例を示す。本実施形態では、投影システム１はバーコードリーダ２、カメラ３、およびプロジェクタ４を備える。バーコードリーダ２は、商品の表面に付されたバーコードを読み取る機器である。バーコードリーダ２の種類は限定されず、例えば一次元バーコードを読み取るリーダでもよいし、二次元バーコードを読み取るリーダでもよい。商品にバーコードを付す手法も何ら限定されない。例えば、バーコードが商品の表面に印刷されてもよいし、バーコードが印刷されたシールが商品の表面に貼られてもよい。カメラ３は、棚の前方にいる人（陳列されている商品の前に来た人）を撮影するための機器である。プロジェクタ４は、棚の最前列に置かれた商品の表面に画像を投影する機器であり、例えば小型の超短焦点プロジェクタであり得る。図１は、バーコードリーダ２が棚の脇に設置され、カメラが棚板の前端に設置され、プロジェクタ４が棚板の下面に設置された例を示す。棚板の下面のような目立たない場所にプロジェクタ４を取り付けることで、陳列棚の見た目をよくすることができる。もっとも、各装置の設置場所は何ら限定されない。例えば、プロジェクタ４が棚板の前側面に取り付けられてもよい。あるいは、各装置が棚以外の物に取り付けられてもよい。
【００１４】
図１は、プロジェクタ４が、星マーク、斜線、および文字列「ＡＢＣ」が印刷された商品８０の表面に、「期間限定！」という文字が入った吹き出しの画像９０を映した例を示す。人がその商品８０を棚から出して手に取ると、当然ながら、その画像（吹き出し）９０がその缶から消え、星マーク、斜線、および文字列「ＡＢＣ」のみが缶の表面に残ることになる。言い換えると、プロジェクタ４から提供される画像は、商品が棚に置かれているときのみ視認でき、客がその商品を入手する際には消えるものである。
【００１５】
図２は投影システム１の機能構成を示す。投影システム１はバーコードリーダ２、カメラ３、およびプロジェクタ４に加えてデータベース群１０およびサーバ２０を備える。投影システム１内の各装置はインターネットやＬＡＮなどの通信ネットワークを介して他の装置との間でデータ通信を行うことができる。図２は一つの陳列スペースの装置群（バーコードリーダ２、カメラ３、およびプロジェクタ４）しか示していないが、投影システム１は複数の陳列スペース（例えば、一つの棚を構成する複数の段、複数の棚など）に設けられた複数の装置群を含んでもよい。
【００１６】
データベース群１０は、投影システム１での処理に必要なデータを記憶する１以上のデータベースの集合である。本実施形態では、データベース群１０は機器データベース１１および画像データベース１２を備える。「データベース」とは、プロセッサまたは外部のコンピュータからの任意のデータ操作（例えば、抽出、追加、削除、上書きなど）に対応できるようにデータ集合を記憶する機能要素（記憶部）である。データベースの実装方法は限定されず、例えばデータベース管理システムでもよいし、テキストファイルでもよい。
【００１７】
機器データベース１１は、棚に設置された機器の対応関係を示す機器情報を記憶する装置である。図３は機器情報の例を示す。本実施形態では、機器情報の各レコードは、バーコードリーダを一意に特定するリーダＩＤと、カメラを一意に特定するカメラＩＤと、プロジェクタを一意に特定するプロジェクタＩＤとを含む。図３は例えば、ある一つの陳列スペース（例えば、棚の一つの段）にバーコードリーダ「Ｒ０１」、カメラ「Ｃ０１」、および３台のプロジェクタ「Ｐ０１」、「Ｐ０２」、「Ｐ０３」が設置されていることを示す。また、図３はカメラ「Ｃ０１」が二つの陳列スペース（例えば、一つの棚の複数の段）に対応することも示す。
【００１８】
画像データベース１２は，商品に投影する画像を示す画像情報を記憶する装置である。本明細書では、この画像を「投影画像」ともいう。図４は画像情報のレコードの例を示す。本実施形態では、画像情報の各レコードは、商品を一意に特定する商品ＩＤと、その商品に投影される画像（画像データ）と、投影条件とを含む。図６は例えば、商品「Ｐ００１」には常に画像Ｘが投影されるのに対して、商品「Ｐ００２」については時間帯および棚の前に来た人の性別に応じて投影画像が切り替わることを示す。例えば、商品「Ｐ００２」の前に女性が来た場合には、画像Ｙｃがその商品「Ｐ００２」に投影される。
【００１９】
なお、データベース群１０内の各データベースおよび各レコードの構成は上記のものに限定されず、各データベースに対して任意の正規化または冗長化を行ってよい。
【００２０】
サーバ２０は、プロジェクタに画像を提供するコンピュータである。図５は、サーバ２０の一般的なハードウェア構成を示す。サーバ２０は、オペレーティングシステムやアプリケーション・プログラムなどを実行するプロセッサ１０１と、ＲＯＭ及びＲＡＭで構成される主記憶部１０２と、ハードディスクやフラッシュメモリなどで構成される補助記憶部１０３と、ネットワークカードあるいは無線通信モジュールで構成される通信制御部１０４と、キーボードやマウスなどの入力装置１０５と、モニタなどの出力装置１０６とを備える。
【００２１】
図２に示すように、サーバ２０は機能的構成要素として受信部２１、抽出部２２、および送信部２３を備える。これらの機能要素は、プロセッサ１０１または主記憶部１０２の上に所定のソフトウェアを読み込ませてそのソフトウェアを実行させることで実現される。プロセッサ１０１はそのソフトウェアに従って、通信制御部１０４、入力装置１０５、または出力装置１０６を動作させ、主記憶部１０２または補助記憶部１０３におけるデータの読み出し及び書き込みを行う。処理に必要なデータまたはデータベースは主記憶部１０２または補助記憶部１０３内に格納される。
【００２２】
受信部２１は、バーコードリーダ２およびカメラ３からデータを受信する機能要素である。受信部２１は、バーコードリーダ２からバーコードデータをリーダＩＤと共に受信し、そのバーコードデータから商品ＩＤを抽出する。また、受信部２１はカメラ３から撮影画像をカメラＩＤと共に受信する。受信部２１は受信したこれらのデータを抽出部２２に出力する。すなわち、本実施形態では受信部２１はバーコード受信部および画像受信部として機能する。
【００２３】
抽出部２２は、陳列されている商品に対応する画像を画像データベース１２から抽出する機能要素である。まず、抽出部２２は入力されたデータに基づいて、少なくとも商品ＩＤを含む検索条件を設定する。検索条件は現在時刻をさらに含んでもよい。また、検索条件は撮影された人（被写体）の属性をさらに含んでもよい。「人の属性」とは、人の性質または特徴である。属性の種類は何ら限定されず、例えば性別、年齢、大人および子供の区別などが挙げられる。抽出部２２は入力された撮影画像に対する画像認識を実行することで、撮影された人（被写体）の属性を判定する。画像データベース１２から画像を抽出する検索条件として用いられるものであれば、抽出部２２は任意の属性を撮影画像から判定してよい。続いて、抽出部２２は設定した検索条件に合致する画像を画像データベース１２から読み出す。
【００２４】
画像情報が図４に示す例であるとして、例えば商品ＩＤ「Ｐ００１」が入力された場合には、抽出部２２は被写体の属性および現在時刻にかかわらず画像Ｘを読み出す。商品ＩＤ「Ｐ００２」が入力され、被写体の属性が「女性」であると判定した場合には、抽出部２２は画像Ｙｃを読み出す。商品ＩＤ「Ｐ００２」が入力され、被写体の属性が「男性」であると判定し、現在時刻が１８：００である場合には、抽出部２２は画像Ｙｂを読み出す。
【００２５】
抽出部２２は読み出した画像を、リーダＩＤおよびカメラＩＤと共に送信部２３に出力する。
【００２６】
送信部２３は、抽出部２２により抽出された画像をプロジェクタ４に送信する機能要素である。送信部２３はこの送信処理により、プロジェクタ４に、陳列された商品の表面にその画像を投影させる。送信部２３は、入力されたリーダＩＤおよびカメラＩＤに対応する少なくとも一つのプロジェクタＩＤを機器データベース１１から読み出し、そのプロジェクタＩＤで示される少なくとも一つのプロジェクタ４に、入力された画像を送信する。各プロジェクタ４は、その画像を受信し、陳列されている商品にその画像を投影する。
【００２７】
次に、図６を参照しながら、投影システム１の動作を説明するとともに本実施形態に係る投影方法について説明する。
【００２８】
まず、受信部２１がバーコードリーダ２からバーコードデータを受信して商品ＩＤを取得し（ステップＳ１１）、また、カメラ３から撮影画像を受信する（ステップＳ１２）。続いて、抽出部２２は少なくとも商品ＩＤに基づいて検索条件を設定し（ステップＳ１３）、その検索条件に合致する画像を画像データベース１２から抽出する（ステップＳ１４、抽出ステップ）。抽出部２２は、撮影画像から判定した被写体の属性と現在時刻との少なくとも一方をさらに含む検索条件を設定してもよい。最後に、送信部２３が抽出された画像をプロジェクタ４に送信する（ステップＳ１５、送信ステップ）。
【００２９】
次に、図７を参照しながら、投影システム１（サーバ２０）を実現するための投影プログラムＰ１を説明する。
【００３０】
投影プログラムＰ１は、メインモジュールＰ１０、受信モジュールＰ１１、抽出モジュールＰ１２、および送信モジュールＰ１３を備える。メインモジュールＰ１０は、投影システム１（サーバ２０）の機能を統括的に制御する部分である。受信モジュールＰ１１、抽出モジュールＰ１２、および送信モジュールＰ１３を実行することにより実現される機能はそれぞれ、上記の受信部２１、抽出部２２、および送信部２３の機能と同様である。
【００３１】
投影プログラムＰ１は、ＣＤ−ＲＯＭやＤＶＤ−ＲＯＭ、半導体メモリなどの有形の記録媒体に固定的に記録された上で提供されてもよい。あるいは、投影プログラムＰ１は、搬送波に重畳されたデータ信号として通信ネットワークを介して提供されてもよい。
【００３２】
以上説明したように、本発明の一側面に係る投影システムは、投影画像を制御する投影システムであって、画像を記憶する画像データベースから、取引のために陳列されている商品に対応する画像を抽出する抽出部と、抽出部により抽出された画像をプロジェクタに送信することで、該プロジェクタに、陳列された商品の表面に該画像を投影させる送信部とを備える。
【００３３】
本発明の一側面に係る投影方法は、投影画像を制御するプロセッサを備える投影システムにより実行される投影方法であって、画像を記憶する画像データベースから、取引のために陳列されている商品に対応する画像を抽出する抽出ステップと、抽出ステップにおいて抽出された画像をプロジェクタに送信することで、該プロジェクタに、陳列された商品の表面に該画像を投影させる送信ステップとを含む。
【００３４】
本発明の一側面に係る投影プログラムは、投影画像を制御する投影システムとしてコンピュータを機能させる投影プログラムであって、画像を記憶する画像データベースから、取引のために陳列されている商品に対応する画像を抽出する抽出ステップと、抽出ステップにおいて抽出された画像をプロジェクタに送信することで、該プロジェクタに、陳列された商品の表面に該画像を投影させる送信ステップとをコンピュータに実行させる。
【００３５】
このような側面においては、商品が陳列されているときには該商品に対応する画像が該商品の表面に表示されるが、人がその商品を手に取ると、その画像はもはやその商品には映らなくなる。この仕組みにより、商品が陳列されているときと、客が実際に商品を手に取ったときとで商品の見た目を変えることができる。すなわち、場面に応じて商品の見た目を変えることができる。
【００３６】
図８はこのような効果の一例を示す。この例は、商品（飲料缶）８０の外装そのものをシンプルなデザインにして（図８の左側）、陳列されている間だけ、追加のデザイン（例えば、宣伝文句、広告など）の画像９０をプロジェクタにより商品の表面に映してその商品を目立たせる（図８の中央）。客がその商品８０を手に取って購入した後には、当然ながらその画像（追加のデザイン）９０は商品８０の表面上に現れないので、客はシンプルな外装の商品８０を持つことになる（図８の右側）。この仕組みを利用すれば、例えば、商品の外装そのものをシンプルで洗練された感じのデザインにしつつ、店頭では派手なデザインをその商品の表面に重畳表示させて注目を集めるようにすることができる。また、商品の表面に印刷すると却って客が敬遠する可能性が高いデザイン（例えば、宣伝文句、派手なデザインなど）を、印刷ではなく投影により商品の表面に表すことで、客が商品を手に取った以降にそのデザインを消すことができる。このような仕組みにより、商品の購入を促すことができる。
【００３７】
さらに、図８の上段および下段に示すように、一つの商品８０に対して投影画像９０を自由に設定できる。例えば、上段の投影画像９０は宣伝文句を表し、下段の投影画像９０は商品の概念または印象を表す。例えば、客の種類や時間帯などに応じて適切な画像を、陳列されている商品に投影することができる。このことも商品の購入の促進につながり得る。
【００３８】
他の側面に係る投影システムでは、陳列されている商品に付されたバーコードを読み取ったバーコードリーダからバーコードデータを受信するバーコード受信部をさらに備え、抽出部が、バーコードデータから抽出された商品ＩＤに対応する画像を抽出してもよい。商品の種類を一意に特定するための商品ＩＤを商品のバーコードから自動的に取得することで、商品に投影する画像を正確に設定することができる。
【００３９】
他の側面に係る投影システムでは、陳列されている商品の前に来た人を撮影したカメラから撮影画像を受信する画像受信部をさらに備え、抽出部が、撮影画像に対する画像認識を実行することで人の属性を判定し、陳列されている商品および該属性に対応する画像を抽出してもよい。この仕組みにより、商品を見ていると推定される人に合った画像をその商品に投影することができる。
【００４０】
他の側面に係る投影システムでは、抽出部が、陳列されている商品および現在時刻に対応する画像を抽出してもよい。この仕組みにより、時間帯に応じた画像を商品に投影することができる。
【００４１】
他の側面に係る投影システムでは、商品が棚に陳列され、プロジェクタが棚の棚板に取り付けられてもよい。
【００４２】
以上、本発明をその実施形態に基づいて詳細に説明した。しかし、本発明は上記実施形態に限定されるものではない。本発明は、その要旨を逸脱しない範囲で様々な変形が可能である。
【００４３】
上記実施形態では受信部２１がバーコードデータおよび撮影画像を受信したが、受信部２１はこれら２種類のデータのうちいずれか一つのみを受信してもよい。あるいは、投影システムは受信部を備えなくてもよい。例えば、商品と、その商品に投影する画像とが予め決まっているのであれば、投影システムはその画像を画像データベースから読み出してプロジェクタに送信すればよい。
【００４４】
上述したとおり、商品の種類は限定されない。例えば、商品は缶、瓶、またはペットボトルに入った飲料でもよいし、食料品でもよい。あるいは、商品は生理用品や避妊具などの衛生用品であってもよく、この場合には、店頭での購入手続の際に一般に行われているような、衛生商品を紙袋に入れる作業が不要になる。もちろん、商品は、食品および衛生用品以外の任意の有体物であってもよい。
【００４５】
画像の投影方法は限定されない。例えば、１台のプロジェクタからの画像が複数個の同一商品に跨がって映るようにプロジェクタと商品との位置関係を調整してもよい。あるいは、隣り合う二列の同一商品について、各列にバーコードリーダを設け、各列の投影画像が異なるように画像情報（画像および投影条件）を設定することで、同一商品に投影される画像を列ごとに異ならせてもよい。
【００４６】
商品に印刷された元々のデザインと投影画像との位置関係も何ら限定されない。例えば、商品の元々のデザインと投影画像とが重なり合ってもよい。あるいは、そのような重畳が起こらないように、商品そのものデザインと画像が投影される位置との少なくとも一方を調整してもよい。例えば、商品そのもののデザイン（このデザインは原材料または栄養成分の表示を含み得る）を商品の上部または下部に印刷して商品の中央部には何も印刷せず、この中央部に画像を投影してもよい。
【００４７】
バーコードリーダ、カメラ、プロジェクタ、およびデータベース群は、投影システム以外の他のシステムに属していてもよい。
【００４８】
本発明の一側面に係る投影システムをＡ／Ｂテストに利用してもよい。例えば、投影システムは、第１の期間では、ある商品の特定の列に画像Ａｘを投影させ該商品の別の列に画像Ａｙを投影させる。その後の第２の期間では、投影システムは、その商品の特定の列に画像Ｂｘを投影させ該商品の別の列に画像Ｂｙを投影させる。そして、投影システムは、第１および第２の期間での該商品の販売数を比較し、その後（第３の期間）は、販売数が多かった方の画像を表示させる。投影システムは、各商品の販売数を記憶するデータベースを参照して、該第３の期間における投影画像を決定する。このように投影システムを用いることで、従来は行われていなかった実店舗でのＡ／Ｂテストを実施できる。
【００４９】
少なくとも一つのプロセッサにより実行される投影システムでの処理手順は上記実施形態での例に限定されない。例えば、投影システムは上述したステップ（処理）の一部を省略してもよいし、別の順序で各ステップを実行してもよい。また、上述したステップのうちの任意の２以上のステップが組み合わされてもよいし、ステップの一部が修正又は削除されてもよい。あるいは、投影システムは上記の各ステップに加えて他のステップを実行してもよい。
【符号の説明】
【００５０】
１…投影システム、２…バーコードリーダ、３…カメラ、４…プロジェクタ、１０…データベース群、１１…機器データベース、１２…画像データベース、２０…サーバ、２１…受信部（バーコード受信部および画像受信部）、２２…抽出部、２３…送信部、Ｐ１…投影プログラム、Ｐ１０…メインモジュール、Ｐ１１…受信モジュール、Ｐ１２…抽出モジュール、Ｐ１３…送信モジュール。
【図１】
0006716359.tif 000002
【図２】
0006716359.tif 000003
【図３】
0006716359.tif 000004
【図４】
0006716359.tif 000005
【図５】
0006716359.tif 000006
【図６】
0006716359.tif 000007
【図７】
0006716359.tif 000008
【図８】
0006716359.tif 000009